(57)【要約】      （修正有）【課題】文字や図柄などを表示したセル画を自在に差し替えることができ、如何なるユーザにも対応できるようにした汎用性に優れた再帰反射腕章を提供する。【解決手段】２枚以上の長尺状ばね鋼板を並列させ、その上下両面を熱可塑性合成樹脂製覆片で覆って形成した自動巻着片のばね鋼板の凹側に、再帰反射シート４をあてがい、また表面側に、長手方向両端部を湾曲状に切り欠いてなる熱可塑性合成樹脂製表面シート６をあてがう。自動巻着片の反対側の面に、表面を粗面状に処理した熱可塑性合成樹脂シート状物をあてがい、再帰反射シート４、自動巻着片、熱可塑性合成樹脂シート状物の三者は、その全周縁部において、表面シート６は湾曲状に切り欠かれた辺部を除いた二辺において熱融着して全体を一体化させ、湾曲状切欠部７を出入口部とするポケット部８を形成し、当該ポケット部８内にセル画９を差し替え自在に挿着できるようにした。【選択図】図３
2013215463.tif 000002
【特許請求の範囲】
【請求項１】
横断面形状が円弧状に形成され、当該円弧の凸側を押すと全体が小径のリング状に変形する長尺状で且つ比較的細幅状のばね鋼板を、互いに干渉しない程度の間隔を存して２枚以上並列させ、その上下両面を熱可塑性合成樹脂製覆片で覆って前記ばね鋼板の周囲に沿って熱融着して長尺状の自動巻着片を形成し、当該自動巻着片におけるばね鋼板の凹側となる面に、前記自動巻着片とほぼ同じ大きさに形成した熱可塑性合成樹脂シートを基材とした再帰反射シートをあてがい、さらに、当該再帰反射シートの表面側に、長手方向両端部を湾曲状に切り欠いてなる透明ないし半透明の熱可塑性合成樹脂製表面シートをあてがうと共に、前記自動巻着片におけるばね鋼板の凸側となる面に、スウェード処理または表面を粗面状に処理した熱可塑性合成樹脂シート状物を、そのスウェード処理または粗面状に処理した面が外側となるようにしてあてがい、前記再帰反射シート、自動巻着片、熱可塑性合成樹脂シート状物の三者は、その全周縁部において、前記熱可塑性合成樹脂製表面シートは湾曲状に切り欠かれた辺部を除いた二辺において熱融着して一体化させ、当該熱可塑性合成樹脂製表面シートの湾曲状切欠部を出入口部とするポケット部を形成し、当該ポケット部内に任意の文字や絵柄などを表示したセル画を交換自在に挿着するようにしたことを特徴とする腕章。
【請求項２】
前記自動巻着片、スウェード処理または表面を粗面状に処理した熱可塑性合成樹脂シート状物の任意の箇所にエア抜き用のスリットまたは通孔を形成したことを特徴とする請求項１に記載の腕章。
【請求項３】
横断面形状が円弧状に形成され、当該円弧の凸側を押すと全体が小径のリング状に変形する長尺状で且つ比較的細幅状のばね鋼板を、互いに干渉しない程度の間隔を存して２枚以上並列させ、その上下両面を熱可塑性合成樹脂製覆片で覆って前記ばね鋼板の周囲に沿って熱融着して長尺状の自動巻着片を形成し、当該自動巻着片におけるばね鋼板の凹側となる面に、前記自動巻着片とほぼ同じ大きさに形成した熱可塑性合成樹脂シートを基材とした再帰反射シートをあてがい、さらに、当該再帰反射シートの表面側に、長手方向一端部を湾曲状に切り欠いてなる透明ないし半透明の熱可塑性合成樹脂製表面シートをあてがうと共に、前記自動巻着片におけるばね鋼板の凸側となる面に、スウェード処理または表面を粗面状に処理した熱可塑性合成樹脂シート状物を、そのスウェード処理または粗面状に処理した面が外側となるようにしてあてがい、前記再帰反射シート、自動巻着片、熱可塑性合成樹脂シート状物の三者は、その全周縁部において、前記熱可塑性合成樹脂製表面シートは湾曲状に切り欠かれた一端部を除いた三辺において熱融着して一体化させ、当該熱可塑性合成樹脂製表面シートの湾曲状切欠部を出入口部とするポケット部を形成し、当該ポケット部内に任意の文字や絵柄などを表示したセル画を交換自在に挿着するようにしたことを特徴とする腕章。
【請求項４】
前記ポケット部の最奥部付近にエア抜き用のスリットまたは通孔を形成したことを特徴とする請求項３に記載の腕章。
【請求項５】
前記セル画に表示された文字や絵柄などがその内側に位置する前記再帰反射シートによる反射光によって離れた位置からでも視認できるようになっていることを特徴とする請求項１ないし請求項４のいずれかに記載の腕章。
【発明の詳細な説明】
【技術分野】
【０００１】
本発明は各種イベント会場などで用いられる腕章に係り、特に反射光を光源に向けて再帰反射させる機能を有する再帰反射シートを具備した自動巻着再帰反射腕章に関する。
【背景技術】
【０００２】
各種イベント会場、あるいは工事現場などにおいては、関係者であることを周囲に告知させるなどの目的のため、しばしば腕章が用いられている。そして、当該腕章を所定の位置に取付けるための方法としては、従来、安全ピンを用いることが多かった。
【０００３】
しかしながら、安全ピンで腕章を留める場合には、取付けたり、外したりするのが甚だ面倒であると共に、衣服にピン穴が開くという問題点がある。
【０００４】
そのため、巻尺のように長尺の金属板の断面形状を湾曲させたコンベックス部材のバネ弾性を応用したバネ腕章が提案されている。
【０００５】
例えば、下記の特許文献１には、コンベックス部材を用いたバネ腕章が提案されており、腕に容易に装着脱できる腕章であって、腕を一回り以上する長さで成る幅広の帯板バネの素材が、断面形状が湾曲状をなすコンベックス部材による帯板バネとし、該帯板バネの両端部に保護キャップを取り付けるとともに、該保護キャップ付き帯板バネを二枚の合成樹脂シートで挟んで後、前記帯板バネの全周囲をウエルダー加工による溶着縁を形成してなる構成のバネ腕章が開示されている。
【０００６】
このバネ腕章によった場合は、ワンタッチで腕に装着したり、取り外したりすることができ、安全ピンによる取付け方法と較べて多くの利点を奏することができる。
【先行技術文献】
【特許文献】
【０００７】
【特許文献１】実用新案登録第３１６３３６２号公報
【発明の概要】
【発明が解決しようとする課題】
【０００８】
上記特許文献１に開示されたバネ腕章によった場合は、安全ピンを用いないので、簡単に着脱できるという効果を奏することができる。しかしながら、この特許文献に示されたバネ腕章によった場合は、前記のように幅広の帯板バネ１枚だけを使用しているため締め付け力が強く、腕に巻き付けたとき腕を圧迫するという問題点があると共に、幅広の帯板バネであるため、装着時にどうしても捩れてしまって腕に均等に巻き付けることができないという懸念がある。
【０００９】
また、上記特許文献１に示されたバネ腕章の場合は、保護キャップ付き帯板バネを二枚の合成樹脂シートで挟んでからその全周囲をウエルダー加工によって溶着するものであるから、合成樹脂シートの表面部にユーザ固有の文字や図柄を表示した場合は、当該ユーザでのみしか使用することができず、他に転用することができないため、汎用性に欠けるという欠点がある。
【００１０】
さらに、特許文献１に開示されたバネ腕章は、帯板バネを二枚の合成樹脂シートで挟んでから当該帯板バネの全周囲をウエルダー加工によって封止するものであるため内部に空気が閉じ込められ、これを腕に巻き付けたとき、内部の空気が一箇所に集まって膨出した状態となり装着感を害すると共に、見栄えを悪くするという問題点がある。
【００１１】
そこで、本発明は前記した従来のバネ腕章の各種問題点を解消し、腕に均等に巻き付けることができるようにすると共に、使用状況に応じて文字や絵柄を表示したセル画を簡単に差し替えることができるようになし、且つ当該セル画に表示された文字や絵柄を光輝させる熱可塑性合成樹脂シートを基材とした再帰反射シートを付設し、アミューズメント性を向上させ、如何なるユーザにも対応できるようにした汎用性に優れた腕章を提供することを目的とするものである。
【課題を解決するための手段】
【００１２】
上記課題を解決するための本発明の構成を詳述すれば、請求項１に係る発明は、横断面形状が円弧状に形成され、当該円弧の凸側を押すと全体が小径のリング状に変形する長尺状で且つ比較的細幅状のばね鋼板を、互いに干渉しない程度の間隔を存して２枚以上並列させ、その上下両面を熱可塑性合成樹脂製覆片で覆って前記ばね鋼板の周囲に沿って熱融着して長尺状の自動巻着片を形成し、当該自動巻着片におけるばね鋼板の凹側となる面に、前記自動巻着片とほぼ同じ大きさに形成した熱可塑性合成樹脂シートを基材とした再帰反射シートをあてがい、さらに、当該再帰反射シートの表面側に、長手方向両端部を湾曲状に切り欠いてなる透明ないし半透明の熱可塑性合成樹脂製表面シートをあてがうと共に、前記自動巻着片におけるばね鋼板の凸側となる面に、スウェード処理または表面を粗面状に処理した熱可塑性合成樹脂シート状物を、そのスウェード処理または粗面状に処理した面が外側となるようにしてあてがい、前記再帰反射シート、自動巻着片、熱可塑性合成樹脂シート状物の三者は、その全周縁部において、前記熱可塑性合成樹脂製表面シートは湾曲状に切り欠かれた辺部を除いた二辺において熱融着して一体化させ、当該熱可塑性合成樹脂製表面シートの湾曲状切欠部を出入口部とするポケット部を形成し、当該ポケット部内に任意の文字や絵柄などを表示したセル画を交換自在に挿着するようにしたことを特徴とする腕章である。
【００１３】
請求項２に係る発明は、前記自動巻着片、スウェード処理または表面を粗面状に処理した熱可塑性合成樹脂シート状物の任意の箇所にエア抜き用の通孔またはスリットを形成したことを特徴とする請求項１に記載の腕章。
【００１４】
請求項３に係る発明は、横断面形状が円弧状に形成され、当該円弧の凸側を押すと全体が小径のリング状に変形する長尺状で且つ比較的細幅状のばね鋼板を、互いに干渉しない程度の間隔を存して２枚以上並列させ、その上下両面を熱可塑性合成樹脂製覆片で覆って前記ばね鋼板の周囲に沿って熱融着して長尺状の自動巻着片を形成し、当該自動巻着片におけるばね鋼板の凹側となる面に、前記自動巻着片とほぼ同じ大きさに形成した熱可塑性合成樹脂シートを基材とした再帰反射シートをあてがい、さらに、当該再帰反射シートの表面側に、長手方向一端部を湾曲状に切り欠いてなる透明ないし半透明の熱可塑性合成樹脂製表面シートをあてがうと共に、前記自動巻着片におけるばね鋼板の凸側となる面に、スウェード処理または表面を粗面状に処理した熱可塑性合成樹脂シート状物を、そのスウェード処理または粗面状に処理した面が外側となるようにしてあてがい、前記再帰反射シート、自動巻着片、熱可塑性合成樹脂シート状物の三者は、その全周縁部において、前記熱可塑性合成樹脂製表面シートは湾曲状に切り欠かれた一端部を除いた三辺において熱融着して一体化させ、当該熱可塑性合成樹脂製表面シートの湾曲状切欠部を出入口部とするポケット部を形成し、当該ポケット部内に任意の文字や絵柄などを表示したセル画を交換自在に挿着するようにしたことを特徴とする腕章である。
【００１５】
また、請求項４に係る発明は、前記ポケット部の最奥部付近にエア抜き用のスリットまたは通孔を形成したことを特徴とする請求項３に記載の腕章である。
【００１６】
さらに、請求項５に係る発明は、前記セル画に表示された文字や絵柄などがその内側に位置する前記再帰反射シートによる反射光によって離れた位置からでも視認できるようになっていることを特徴とする請求項１ないし請求項４のいずれかに記載の腕章である。
【発明の効果】
【００１７】
本発明に係る腕章は、上記のように、横断面形状が円弧状に形成され、当該円弧の凸側を押すと全体が小径のリング状に瞬時に変形する長尺状のばね鋼板を、腕に巻き付ける際の一種の駆動源として利用するものであるから、きわめて簡単に装着できると共に、長尺状で且つ比較的細幅状のばね鋼板を、互いに干渉しない程度の間隔を存して２枚以上並列させ、その上下両面を熱可塑性合成樹脂製覆片で覆ってばね鋼板の周囲に沿い熱融着することにより長尺状の自動巻着片を形成してあるので、従来のように捩れることがなく、腕に対する密着感が大幅に改善され、巻き付けたときの腕に対する圧迫感も解消することができるものである。
【００１８】
さらに、腕章本体の表面側には、反射光を光源に向けて再帰反射させる機能を有する再帰反射シート材を用いており、差し替え可能としたセル画に表示された文字や絵柄などを当該反射光によって光輝させることができ、各種イベント会場などでのアミューズメント性が飛躍的に高まるものである。
【００１９】
また、当然ながら、夜間警備や、夜間における自転車走行・ランニングなどの際に着用することにより安全性をこれまで以上に高めることができる。
【００２０】
さらに、透明ないし半透明の熱可塑性合成樹脂製表面シートの両端部または一端部は湾曲状に切り欠いてあるので、腕に巻き付けたとき、当該表面シートのセル画差し込み口が外側に膨出するのを防ぐことができると共に、自動巻着片、スウェード処理または表面を粗面状に処理した熱可塑性合成樹脂シート状物の任意の箇所にエア抜き用の通孔またはスリットを形成してあるので、腕に巻着させたときに腕章本体内に留まるエアを外部に排出することができ、腕章全体が外側に膨出するのを防ぐことができるものである。
【図面の簡単な説明】
【００２１】
【図１】本発明に係る腕章の一実施形態を示す分解状態斜視図である。
【図２】自動巻着片の一実施形態を示す平面図である。
【図３】図１に示す腕章の使用形態を示す平面図である。
【図４】本発明に係る腕章の底面図である。
【図５】本発明に係る腕章が内部の自動巻着片の作用によってリング状に変形した状態を示す斜視図である。
【図６】本発明に係る腕章の他の実施形態を示す平面図である。
【発明を実施するための形態】
【００２２】
以下、本発明に係る腕章の具体的構成を図示の実施形態について詳細に説明する。
【００２３】
図中１は本発明に係る腕章を腕に巻き付ける際に一種の駆動源として作用する自動巻着片の全体を示す。この自動巻着片１は、図１に示すように、横断面形状が円弧状に形成され、当該円弧の凸側を押すと全体が小径のリング状に変形する長尺状で且つ比較的細幅状のばね鋼板２を、互いに干渉しない程度の間隔を存して２枚以上並列させ、その上下両面を熱可塑性合成樹脂製覆片３，３で覆って、前記２枚以上のばね鋼板２，２の周囲に沿って高周波ウェルダー等の手段により熱融着して長尺状に形成してなるものである。
【００２４】
横断面形状が円弧状に形成された長尺状のばね鋼板２は、その一端部を凸側から凹側に向け押すだけで全体が凹側に巻き込まれて瞬時に小径のリング状に変形する。
【００２５】
本発明はばね鋼板２のこのような特性に着目し、これを腕章に応用したものであるが、巻き付ける上腕部の径にはバラつきがあるため、幅広のバネ鋼板を只の１枚だけ使用した場合は、捩れたりして腕に均等に巻き付けることができなくなると共に、締め付け力が強くなり過ぎて腕に巻き付けたとき腕を圧迫するという問題点がある。
【００２６】
そのため、本発明においては、図１及び図２に示すように比較的細幅状の２枚以上のばね鋼板２を用いると共に、互いの間に所定の間隔を保持した状態で、その上下両面を熱可塑性合成樹脂製覆片３，３で覆い、２枚以上のばね鋼板２の周囲に沿って高周波ウェルダー等の手段により熱融着して自動巻着片１を構成するようにしたものである。なお、図示の実施形態においては、２枚のばね鋼板２，２を用いているが、これを３枚にしてもよいのは勿論である。
【００２７】
本発明はこのような構成の自動巻着片１を用いるようにしたので、上腕部などに巻き付けるときに捩れを有効に防止することができると共に、腕に均一で且つ良好な締め付け力を与えることができる。
【００２８】
次に、図中４は前記自動巻着片１におけるばね鋼板２の凹側となる面、すなわち小径状に巻き込まれた際に表面側となる面に付設した熱可塑性合成樹脂シートを基材とした再帰反射シートである。
【００２９】
この再帰反射シート４は、その多層積層構造中に微小なガラスビーズ層を有しており、当該ガラスビーズ層によって反射された光は光源方向に向けて再帰反射されるので各種イベント会場などで用いた場合、アミューズメント性が向上して会場の雰囲気を高めるのにも効果がある。また、夜間における各種警備や、夜間における自転車走行・ランニングなどにも好適である。
【００３０】
図中５は前記自動巻着片１におけるばね鋼板２の凸側となる面、すなわち自動巻着片１が小径状に巻き込まれた際に裏面側（内側）となる面に付設する熱可塑性合成樹脂シート状物であり、当該熱可塑性合成樹脂シート状物５の表面は摩擦抵抗が比較的大きくなるようスウェード処理または粗面状に処理してある。これにより、腕などに巻き付けた際に、衣服類に対する係着性が向上し、一層脱落し難い腕章となる。
【００３１】
図中６は前記再帰反射シート４の表面側に付設する透明ないし半透明の熱可塑性合成樹脂製表面シートであり、当該表面シート６の長手方向一端部又は両端部は湾曲状に切り欠いてあって、再帰反射シート４の長手方向寸法より短くなっている。この表面シート６は後述するセル画を差し替え自在に挿着するときに不可欠なものである。
【００３２】
なお、前記した２枚以上のばね鋼板２を上下両面において封止する熱可塑性合成樹脂製覆片３，３、再帰反射シート４の基材となる熱可塑性合成樹脂シート、表面をスウェード処理または粗面状に処理した熱可塑性合成樹脂シート状物５及び長手方向一端部又は両端部を湾曲状に切り欠いてなる透明ないし半透明の熱可塑性合成樹脂製表面シート６の素材としては、汎用の各種熱可塑性合成樹脂を用いることができるが、本発明における実施形態においては何れも高周波ウェルダー等による熱融着性に優れたポリ塩化ビニル樹脂を用いている。
【００３３】
図３に示す実施例においては、前記自動巻着片１におけるばね鋼板２，２の凹側となる面に、前記熱可塑性合成樹脂シートを基材とした再帰反射シート４をあてがってから、当該再帰反射シート４の表面側に、長手方向両端部を湾曲状に切り欠いてなる透明ないし半透明の熱可塑性合成樹脂製表面シート６をあてがうと共に、前記自動巻着片１におけるばね鋼板２，２の凸側となる面に、スウェード処理または表面を粗面状に処理した熱可塑性合成樹脂シート状物５を、そのスウェード処理または粗面状に処理した面が外側となるようにしてあてがい、前記再帰反射シート４、自動巻着片１、熱可塑性合成樹脂シート状物５の三者は、その全周縁部において、前記熱可塑性合成樹脂製表面シート６は湾曲状に切り欠かれた辺部を除いた二辺において熱融着して一体化させたものであり、前記熱可塑性合成樹脂製表面シート６の湾曲状切欠部７を出入口部とするポケット部８を形成し、当該ポケット部８内に任意の文字や絵柄などを表示したセル画９を差し替え自在に挿着するようにしたものである。
【００３４】
また、図６に示す実施例においては、再帰反射シート４の表面側に付設する透明ないし半透明の熱可塑性合成樹脂製表面シート６の長手方向一端部のみを湾曲状に切り欠いて構成したもので、この場合、再帰反射シート４、自動巻着片１、熱可塑性合成樹脂シート状物５の三者は、その全周縁部において熱融着し、前記熱可塑性合成樹脂製表面シート６は湾曲状に切り欠かれたを一端部を除いた三辺において熱融着して全体を一体化させ、当該熱可塑性合成樹脂製表面シート６の湾曲状切欠部７を出入口部とするポケット部８を形成し、当該ポケット部８内に任意の文字や絵柄などを表示したセル画９を交換自在に挿着するようにしたものである。
【００３５】
セル画９は透明または半透明の基材の表面に透光性着色剤などによって任意の文字や絵柄などを表示したものであって、当該セル画９を前記ポケット部８内に挿着し、外部から光を当てると、当該光はセル画９の内側に位置する再帰反射シート４によって光源方向に向け反射し、その際、セル画９に表示された文字や絵柄などが当該反射光によって識別されアミューズメント性が向上する。なお、セル画９は文字や絵柄などを除いて透光性着色剤で印刷し、文字や絵柄を白抜き表示するようにしてもよいのは勿論である。
【００３６】
その他、図中の１０は自動巻着片１をなす熱可塑性合成樹脂製覆片３，３及びスウェード処理または表面を粗面状に処理した熱可塑性合成樹脂シート状物５の任意の箇所に形成したエア抜き用の通孔またはスリットであり、図６における１１はポケット部８の最奥部付近に形成したエア抜き用のスリットまたは通孔である。
【００３７】
このように、エア抜き用のスリットまたは通孔を設けたことにより、腕章本体を腕に巻き付けたとき、内部の空気は小径状に巻き込まれる際に外部に排出されるので腕章本体が封入空気によって膨出するのを防ぐことができる。
【００３８】
本発明に係る腕章の使用にあたっては、自動巻着片１を伸ばして偏平状となした状態で、表面シート６の湾曲状切欠部７から任意のセル画９を挿着して、ポケット部８内に保持させる。次に、当該偏平状の腕章本体の一端部を手で持って、腕章本体の中央部分を、装着する上腕部などに軽く叩き付ける。すると、自動巻着片１内のばね鋼板２，２が小径のリング状に変形し、瞬時に上腕部に巻き付いて適度な圧力で上腕部に定着する。腕の折り曲げ等によって、腕部の径が変化しても、ばね鋼板２，２の締め付け力によって腕章本体がずれ下がるようなことはなく安定した状態で上腕部に定着できるものである。
【００３９】
また、表面シート６におけるセル画９の出入口部は湾曲状に切り欠かれて余剰部が予め除去された状態となっているので、腕に巻き付けたときに当該セル画の出入口部が膨出することがなく、周囲の物に引っ掛かったりするのを防ぐことができるものである。
【００４０】
一方、セル画を差し替えるなどのため腕章本体を腕から外すときは、自動巻着片１の締め付け力に抗して腕章本体の端部を引っ張ることによって容易に腕から外すことができ、腕から外した状態でばね鋼板２，２を元の状態に戻せば腕章本体は偏平状態を保持することができる。
【００４１】
このように、本発明腕章によれば、ワンタッチで装着が可能であると共に、表面シート６の湾曲状切欠部７から任意のセル画９を差し込むことができ、セル画９に表示された文字や絵柄などを再帰反射シート４による反射光により光輝させることができてアミューズメント性を向上させることができるものである。
【００４２】
また、前記したように、熱可塑性合成樹脂製表面シート６の両端部または一端部には湾曲状切欠部７を形成してあるので、腕に巻き付けたときに、セル画９の出入口部が外側に突出するのを防ぐことができると共に、熱可塑性合成樹脂製覆片３，３及び熱可塑性合成樹脂シート状物５にエア抜き用の通孔またはスリットを形成したので、腕章本体を腕に巻き付ける際に、内部の空気は自動的に外部に排出されるので腕章本体が封入空気によって膨出するのを防ぐことができ、装着状態をスマートに保持することができるものである。
【符号の説明】
【００４３】
１：自動巻着片
２：ばね鋼板
３：熱可塑性合成樹脂製覆片
４：再帰反射シート
５：熱可塑性合成樹脂シート状物
６：熱可塑性合成樹脂製表面シート
７：湾曲状切欠部
８：ポケット部
９：セル画
１０：エア抜き用のスリットまたは通孔
１１：エア抜き用のスリットまたは通孔
【図１】
2013215463.tif 000003
【図２】
2013215463.tif 000004
【図３】
2013215463.tif 000005
【図４】
2013215463.tif 000006
【図５】
2013215463.tif 000007
【図６】
2013215463.tif 000008